(57)【要約】【課題】様々な直径のワイヤハーネスに対しガタ付きを最小限に抑えた状態で保持することが可能なワイヤハーネス保持クリップを提供する。【解決手段】ワイヤハーネス保持クリップ２１は、一対の側壁２８、２９と底壁３０とを有する。一対の側壁２８、２９間はハーネス収容空間３２となる。側壁２８には第一接触保持片３７が連成される。第一接触保持片３７はワイヤハーネスに対する第一の接触保持部分となる。側壁２９には第二接触保持片３８が連成される。第二接触保持片３８はワイヤハーネスに対する第二の接触保持部分となる。第一接触保持片３７の先端及び第二接触保持片３８の先端間にはハーネス挿入部分３９が形成される。側壁２８には第三接触保持片４０が連成される。第三接触保持片４０はワイヤハーネスに対する第三の接触保持部分となる。【選択図】図１
2010004593.tif 000002
【特許請求の範囲】
【請求項１】
一対の側壁と該一対の側壁を繋ぐ底壁とを有する一方、
前記一対の側壁間が収容対象範囲内の直径のワイヤハーネスを一本収容するためのハーネス収容空間となり、
前記一対の側壁の一方に連成され且つ傾斜して前記ハーネス収容空間を区画する弾性の第一接触保持片が前記ワイヤハーネスを保持するための第一の接触保持部分となり、
前記一対の側壁の他方に連成され且つ傾斜して前記ハーネス収容空間を区画する弾性の第二接触保持片が前記ワイヤハーネスを保持するための第二の接触保持部分となり、
前記第一接触保持片の先端及び前記第二接触保持片の先端間が前記ワイヤハーネスを前記ハーネス収容空間内に挿入するためのハーネス挿入部分となり、
前記一方の側壁に連成され且つ前記ワイヤハーネスの挿入方向に略直交する方向にのびて前記ハーネス収容空間内に突出する弾性の第三接触保持片が前記ワイヤハーネスを保持するための第三の接触保持部分となる構造を有する
ことを特徴とするワイヤハーネス保持クリップ。
【請求項２】
請求項１に記載のワイヤハーネス保持クリップにおいて、
前記第三接触保持片の先端が前記底壁に対し摺接可能な底壁摺接部分となる
ことを特徴とするワイヤハーネス保持クリップ。
【請求項３】
請求項１又は請求項２に記載のワイヤハーネス保持クリップにおいて、
前記第一接触保持片の先端及び前記第二接触保持片の先端が断面略二股形状に形成されて横ズレ防止部分となる
ことを特徴とするワイヤハーネス保持クリップ。
【発明の詳細な説明】
【技術分野】
【０００１】
本発明は、ワイヤハーネス保持クリップに関し、詳しくは様々な直径のワイヤハーネスに対応するワイヤハーネス保持クリップに関する。
【背景技術】
【０００２】
下記特許文献１には、図８に示す如くの電線保持クリップ１に関する技術が開示されている。電線保持クリップ１は、複数の（複数種の）電線２を保持するための合成樹脂製の部品であって、取付対象部材３の貫通孔４に嵌合して固定される固定部５と、この固定部５に連成される本体部６とを有している。本体部６は、複数の電線２を収容する略枠状の部分となるように形成されている。具体的には、固定部５が一体化する底壁７と、この底壁７の両端に連成されて上方にのびる一対の側壁８、９と、側壁８の先端に連成される第一爪部１０と、側壁９の先端に連成される第二爪部１１と、第一爪部１０及び第二爪部１１間に形成される電線挿入用隙間１２とを有している。本体部６の内側は、電線収容空間１３となっている。複数の電線２は、電線収容空間１３に収容されると、第一爪部１０及び第二爪部１１によって抜けが規制されるようになっている。
【特許文献１】特開２００７−２４２７７０号公報
【発明の開示】
【発明が解決しようとする課題】
【０００３】
ところで、上記従来技術にあっては、電線収容空間１３に挿入することができる範囲で電線２を複数、複数種収容することが可能であるが、電線２の収容ではなく、例えば直径の大きなワイヤハーネス又は直径の小さなワイヤハーネスのいずれか一方を一本のみ収容する場合、次のような問題点が生じてしまう。すなわち、ワイヤハーネスの直径が小さくなればなるほど、電線収容空間１３内でのワイヤハーネスの移動量（ガタ付き）が大きくなることから、自動車のような振動が生じるものに電線保持クリップ１を適用すると、ガタ付きによって様々な不具合が生じてしまう恐れを有している。
【０００４】
本発明は、上記した事情に鑑みてなされたもので、様々な直径のワイヤハーネスに対しガタ付きを最小限に抑えた状態で保持することが可能なワイヤハーネス保持クリップを提供することを課題とする。
【課題を解決するための手段】
【０００５】
上記課題を解決するためになされた請求項１記載の本発明のワイヤハーネス保持クリップは、一対の側壁と該一対の側壁を繋ぐ底壁とを有する一方、前記一対の側壁間が収容対象範囲内の直径のワイヤハーネスを一本収容するためのハーネス収容空間となり、前記一対の側壁の一方に連成され且つ傾斜して前記ハーネス収容空間を区画する弾性の第一接触保持片が前記ワイヤハーネスを保持するための第一の接触保持部分となり、前記一対の側壁の他方に連成され且つ傾斜して前記ハーネス収容空間を区画する弾性の第二接触保持片が前記ワイヤハーネスを保持するための第二の接触保持部分となり、前記第一接触保持片の先端及び前記第二接触保持片の先端間が前記ワイヤハーネスを前記ハーネス収容空間内に挿入するためのハーネス挿入部分となり、前記一方の側壁に連成され且つ前記ワイヤハーネスの挿入方向に略直交する方向にのびて前記ハーネス収容空間内に突出する弾性の第三接触保持片が前記ワイヤハーネスを保持するための第三の接触保持部分となる構造を有することを特徴としている。
【０００６】
このような特徴を有する本発明によれば、様々な直径のワイヤハーネスに対し三つの接触保持片が弾性的に接触することでワイヤハーネスの保持がなされる。三つの接触保持片は弾性を有することから、ワイヤハーネスの動きに三つの接触保持片が追従するようになり、結果、保持状態は良好に維持される。
【０００７】
請求項２記載の本発明のワイヤハーネス保持クリップは、請求項１に記載のワイヤハーネス保持クリップにおいて、前記第三接触保持片の先端が前記底壁に対し摺接可能な底壁摺接部分となることを特徴としている。
【０００８】
このような特徴を有する本発明によれば、直径の大きなワイヤハーネスを保持する際に、第三接触保持片の先端が底壁を摺接するような状態で底壁に当接する。これにより、第三接触保持片は二箇所で支えられて撓むようになり、結果、第三接触保持片の復元方向の力が高まってワイヤハーネスの保持状態は良好に維持される。
【０００９】
請求項３記載の本発明のワイヤハーネス保持クリップは、請求項１又は請求項２に記載のワイヤハーネス保持クリップにおいて、前記第一接触保持片の先端及び前記第二接触保持片の先端が断面略二股形状に形成されて横ズレ防止部分となることを特徴としている。
【００１０】
このような特徴を有する本発明によれば、第一接触保持片及び第二接触保持片の各先端の形状によって、ワイヤハーネスの横ズレ方向の移動が規制される。ワイヤハーネスの保持状態は良好に維持される。
【発明の効果】
【００１１】
請求項１に記載された本発明によれば、様々な直径のワイヤハーネスに対しガタ付きを最小限に抑えた状態で保持することができるという効果を奏する。
【００１２】
請求項２、３に記載された本発明によれば、それぞれワイヤハーネスの保持状態を良好に維持することができるという効果を奏する。
【発明を実施するための最良の形態】
【００１３】
以下、図面を参照しながら説明する。図１は本発明のワイヤハーネス保持クリップの一実施の形態を示す斜視図である。また、図２は直径の小さなワイヤハーネスを保持する場合の組み付け説明図、図３は直径の大きなワイヤハーネスを保持する場合の組み付け説明図である。
【００１４】
図１において、引用符号２１は本発明のワイヤハーネス保持クリップを示している。ワイヤハーネス保持クリップ２１は、合成樹脂製の部品であって、例えば自動車等の移動体に配索されるワイヤハーネスを保持したり位置決めしたりすることができるように形成されている。ワイヤハーネス保持クリップ２１は、様々な直径のワイヤハーネス（直径の大きなワイヤハーネス２２ａや直径の小さなワイヤハーネス２２ｂ。公知のものであり模式的に示すものとする）に対しガタ付きを最小限に抑えた状態で保持することができるように形成されている。先ず、構造について説明する。
【００１５】
ワイヤハーネス保持クリップ２１は、例えば図示しない車体パネルの貫通孔に嵌合して固定される固定部２３と、この固定部２３に連成される本体部２４とを有している。固定部２３は、貫通孔に挿通される支柱２５と、車体パネル裏面側の貫通孔縁部に引っ掛かる一対の係止羽根２６と、車体パネル表面を押圧する一対のパネル押圧部２７とを有している（固定部２３の形態は一例であるものとする。車体パネル等の取付対象部材への固定が可能であれば特に限定されないものとする）。
【００１６】
本体部２４は、所望の幅に形成される一対の対向し合う側壁２８、２９と、この一対の側壁２８、２９を繋ぐ底壁３０とを有している。本体部２４は、略枠状となる形状に形成されている。このような本体部２４には、底壁３０に連続するような底壁延長部３１が形成されている。底壁延長部３１は、短冊状の板片となる部分であって、固定部２３が一体に設けられている（固定部２３の配置は一例であるものとする。底壁延長部３１を形成せずに例えば底壁３０の外面に設けても良いものとする）。
【００１７】
一対の側壁２８、２９は、所定の間隔を有するように配置形成されている。また、一対の側壁２８、２９は、底壁３０に対して直交するように形成されている。一対の側壁２８、２９間には、収容対象範囲内の直径のワイヤハーネス、すなわち直径の大きなワイヤハーネス２２ａや直径の小さなワイヤハーネス２２ｂを一本収容するためのハーネス収容空間３２が形成されている。尚、一対の側壁２８、２９の間隔や高さ寸法は、直径の大きなワイヤハーネス２２ａに合わせて設定されている。
【００１８】
一対の側壁２８、２９は、それぞれ厚肉部分３３、３４及び薄肉部分３５、３６を有している。厚肉部分３３、３４は底壁３０側、薄肉部分３５、３６は先端側の配置となっている。一対の側壁２８、２９は、肉厚を変化させることによって弾力性の調整がなされている。
【００１９】
図中左側となる側壁２８の先端位置には、第一接触保持片３７が連成されている。第一接触保持片３７は、右斜め下方向に傾斜してハーネス収容空間３２を区画するように形成されている。第一接触保持片３７は、片持ち形状で弾性を有している。第一接触保持片３７は、本形態において、側壁２８の薄肉部分３５と同じ肉厚で形成されている。第一接触保持片３７は、直径の大きなワイヤハーネス２２ａや直径の小さなワイヤハーネス２２ｂを保持するための第一の接触保持部分として形成されている。
【００２０】
図中右側となる側壁２９の先端位置には、第二接触保持片３８が連成されている。第二接触保持片３８は、左斜め下方向に傾斜してハーネス収容空間３２を区画するように形成されている。第二接触保持片３８は、片持ち形状で弾性を有している。第二接触保持片３８は、本形態において、側壁２９の薄肉部分３６と同じ肉厚で形成されている。第二接触保持片３８は、第一接触保持片３７と対称の形状に形成されている。第二接触保持片３８は、直径の大きなワイヤハーネス２２ａや直径の小さなワイヤハーネス２２ｂを保持するための第二の接触保持部分として形成されている。
【００２１】
第一接触保持片３７の先端及び第二接触保持片３８の先端間は、直径の大きなワイヤハーネス２２ａや直径の小さなワイヤハーネス２２ｂをハーネス収容空間３２内に挿入するためのハーネス挿入部分３９として形成されている。
【００２２】
図中左側となる側壁２８の中間位置には、第三接触保持片４０が連成されている。第三接触保持片４０は、直径の大きなワイヤハーネス２２ａや直径の小さなワイヤハーネス２２ｂの挿入方向（図中下向きの方向）に略直交する方向にのびるように（図中左側から右側へのびるように）形成されている。第三接触保持片４０は、ハーネス収容空間３２内に突出するように形成されている。第三接触保持片４０は、片持ち形状で弾性を有している。第三接触保持片４０は、本形態において、第一接触保持片３７や第二接触保持片３８よりも薄肉で撓み易い状態に形成されている。第三接触保持片４０は、直径の大きなワイヤハーネス２２ａや直径の小さなワイヤハーネス２２ｂを保持するための第三の接触保持部分として形成されている。尚、第三接触保持片４０を側壁２８でなく右側の側壁２９に連成しても良いものとする。
【００２３】
第三接触保持片４０の先端には、第三接触保持片４０が撓んだ際に底壁３０の内面に対して摺接可能となる底壁摺接部分４１が形成されている。
【００２４】
第三接触保持片４０は、この先端が図中右側となる側壁２９の近くまでのびるように形成されている。第三接触保持片４０は、十分な長さを有するように形成されている。第三接触保持片４０は、この基端部分が厚肉部分３３に連成されている。第三接触保持片４０の高さ寸法は、本形態において、直径の小さなワイヤハーネス２２ｂを保持する際に、第三接触保持片４０が若干撓むような位置の寸法となっている。
【００２５】
ハーネス収容空間３２における第一接触保持片３７及び第二接触保持片３８と、第三接触保持片４０との間は、保持空間３２ａとなっている。また、ハーネス収容空間３２における第三接触保持片４０と底壁３０との間は、第三接触保持片４０の撓み空間３２ｂとなっている。
【００２６】
次に、図２及び図３を参照しながらワイヤハーネス保持クリップ２１の作用（ワイヤハーネスの組み付けに係る本体部２４の作用）について説明する。
【００２７】
直径の小さなワイヤハーネス２２ｂの組み付けに係る作用としては、図２に示す如く、ハーネス挿入部分３９の上方から直径の小さなワイヤハーネス２２ｂを下方へ移動させると、第一接触保持片３７及び第二接触保持片３８が直径の小さなワイヤハーネス２２ｂの外面によって押され、これにより第一接触保持片３７及び第二接触保持片３８に撓みが生じるようになる（撓み方向は図中の矢印参照）。この時、第一接触保持片３７及び第二接触保持片３８は、各先端間が広がるような状態で撓むようになる。
【００２８】
直径の小さなワイヤハーネス２２ｂを更に押し込んで下方への移動を続けると、直径の小さなワイヤハーネス２２ｂは第三接触保持片４０に当接する。第三接触保持片４０は、直径の小さなワイヤハーネス２２ｂに押されることにより撓みが生じるようになる。
【００２９】
各部分の撓みは、第一接触保持片３７及び第二接触保持片３８の各先端間が直径の小さなワイヤハーネス２２ｂの直径分だけ広がるまで続き、この後、第一接触保持片３７及び第二接触保持片３８が元の状態に戻る方向に移動すると、第三接触保持片４０もこの復元力により若干上方へ移動する。
【００３０】
以上により、直径の小さなワイヤハーネス２２ｂは、図２（ｃ）に示す如く三つの接触保持部分（３７、３８、４０）の弾性的な接触により保持される。三つの接触保持片（３７、３８、４０）は、直径の小さなワイヤハーネス２２ｂの動きに追従することから、保持状態は良好に維持される。
【００３１】
ここで、三つの接触保持部分（３７、３８、４０）によって良好な状態に保持された直径の小さなワイヤハーネス２２ｂに横ズレが生じた場合を考えてみる。例えば、図２（ｃ）中の左側に横ズレした場合にあっては、側壁２８の薄肉部分３５と、第一接触保持片３７と、第三接触保持片４０とにより保持されるようになる。一方、右側に横ズレした場合にあっては、側壁２９の薄肉部分３６と、第二接触保持片３８と、第三接触保持片４０とにより保持されるようになる。従って、横ズレした場合であっても三箇所での保持が確保されることから、ガタ付きを防止することができる。
【００３２】
この他、図２（ａ）に示す如く第三接触保持片４０の下に直径の小さなワイヤハーネス２２ｂが落ち込んでしまった場合を考えてみる（通常の組み付けでは起こり得ない）。この場合、第三接触保持片４０の存在によってある程度のガタ付きを抑えることができ、特に不具合につながるようなことはない。
【００３３】
一方、直径の大きなワイヤハーネス２２ａの組み付けに係る作用としては、図３に示す如く、ハーネス挿入部分３９の上方から直径の大きなワイヤハーネス２２ａを下方へ移動させると、第一接触保持片３７及び第二接触保持片３８が直径の大きなワイヤハーネス２２ａの外面によって押され、これにより第一接触保持片３７及び第二接触保持片３８に大きな撓みが生じるようになる（撓み方向は図中の矢印参照）。この時、第一接触保持片３７及び第二接触保持片３８は、各先端間が大きく広がるような状態で撓むようになる。
【００３４】
直径の大きなワイヤハーネス２２ａを更に押し込んで下方への移動を続けると、直径の大きなワイヤハーネス２２ａは第三接触保持片４０に当接する。第三接触保持片４０は、直径の大きなワイヤハーネス２２ａによって押されることにより大きな撓みが生じるようになる。第三接触保持片４０は、この先端の底壁摺接部分４１が底壁３０の内面を摺接するような状態にまで大きく撓むようになる。
【００３５】
各部分の撓みは、第一接触保持片３７及び第二接触保持片３８の各先端間が直径の大きなワイヤハーネス２２ａの直径分だけ広がるまで続き、この後、第一接触保持片３７及び第二接触保持片３８が元の状態に戻る方向に移動すると、第三接触保持片４０もこの復元力により直径の大きなワイヤハーネス２２ａを若干上方へ押し上げる。
【００３６】
以上により、直径の大きなワイヤハーネス２２ａは、図３（ｃ）に示す如く三つの接触保持部分（３７、３８、４０）の弾性的な接触により保持される。三つの接触保持片（３７、３８、４０）は、直径の大きなワイヤハーネス２２ａの動きに追従することから、保持状態は良好に維持される。
【００３７】
本発明によれば、様々な直径のワイヤハーネス（直径の大きなワイヤハーネス２２ａや直径の小さなワイヤハーネス２２ｂ、或いはこれら直径の中間となるワイヤハーネス）に対してガタ付きを最小限に抑えた状態に保持することができる。
【００３８】
続いて、図４及び図５を参照しながら変形例について説明する。図４は直径の小さなワイヤハーネス２２ｂを保持する場合の図であり、（ａ）は図１のワイヤハーネス保持クリップ２１の図、（ｂ）は変形例の図である。また、図５は直径の大きなワイヤハーネス２２ａを保持する場合の図であり、（ａ）は図１のワイヤハーネス保持クリップ２１の図、（ｂ）は変形例の図である。
【００３９】
図４（ａ）及び図５（ａ）に示す如く、直径の小さなワイヤハーネス２２ｂや直径の大きなワイヤハーネス２２ａを保持した状態にあっては、三箇所での接触により保持がなされている。これに対して図４（ｂ）及び図５（ｂ）に示す如く、第一接触保持片３７及び第二接触保持片３８の各先端部分を断面略二股形状に形成して横ズレ防止部分４２とすると、横ズレ防止部分４２の形成により全体で五箇所の接触に増えることから、より一層横ズレし難い構造にすることができる（当然のことながら保持状態も一層良好になる）。
【００４０】
図４（ｂ）において、横ズレ防止部分４２を形成することにより、第三接触保持片４０の撓み量を小さくすることが可能になる。これは横ズレが防止されるからである。従って、このような理由から、第三接触保持片４０の高さ寸法を若干低く設定することができるようにもなる（図中では図４（ａ）よりも高さ寸法が低くなっている）。
【００４１】
続いて、図６及び図７を参照しながら比較例について説明する。図６は直径の小さなワイヤハーネス２２ａを保持する場合の比較例の組み付け説明図であり、（ａ）は組み付け前の図、（ｂ）は組み付け途中の図、（ｃ）は組み付け後の図である。また、図７は直径の大きなワイヤハーネス２２ａを保持する場合の比較例の組み付け説明図であり、（ａ）は組み付け前の図、（ｂ）は組み付け途中の図、（ｃ）は組み付け後の図である。
【００４２】
比較例となる保持クリップ５１は、上記のワイヤハーネス保持クリップ２１（図１ないし図３参照）に対して第三接触保持片５２のみが異なっている。第三接触保持片５２は、第三接触保持片４０と比べてこの傾斜角度が大きくなっている（第三接触保持片５２は、斜め上方向にのびるように傾斜角度が大きく設定されている）。
【００４３】
第三接触保持片５２のように傾斜角度を大きくすると、直径の小さなワイヤハーネス２２ｂを保持する場合、図６（ｃ）に示す如く横ズレが生じる可能性がある。一方、直径の大きなワイヤハーネス２２ａを保持する場合には、図７からも分かるように撓み量が大きくなって、結果、第三接触保持片５２の根元に負担を掛けてしまうことになる（応力が集中してしまう）。従って、図１ないし図３に示す如く第三接触保持片４０の配置が好ましいと言える（若干斜め上に傾く程度では問題ない）。
【００４４】
この他、本発明は本発明の主旨を変えない範囲で種々変更実施可能なことは勿論である。
【００４５】
上記構造や図示からも分かるように、ワイヤハーネス保持クリップ２１は複雑な構造にならないことから、金型構造も複雑にならないものとなっている（スライド金型が不要な単純な型割構造になっている。従って、金型加工性が良好でコスト面に寄与する構造になっている）。
【図面の簡単な説明】
【００４６】
【図１】本発明のワイヤハーネス保持クリップの一実施の形態を示す斜視図である。
【図２】直径の小さなワイヤハーネスを保持する場合の組み付け説明図であり、（ａ）は組み付け前の図、（ｂ）は組み付け途中の図、（ｃ）は組み付け後の図である。
【図３】直径の大きなワイヤハーネスを保持する場合の組み付け説明図であり、（ａ）は組み付け前の図、（ｂ）は組み付け途中の図、（ｃ）は組み付け後の図である。
【図４】図１のワイヤハーネス保持クリップとこの変形例とを示す図（直径の小さなワイヤハーネスを保持する場合の図）であり、（ａ）は図１のワイヤハーネス保持クリップの図、（ｂ）は変形例の図である。
【図５】図１のワイヤハーネス保持クリップとこの変形例とを示す図（直径の大きなワイヤハーネスを保持する場合の図）であり、（ａ）は図１のワイヤハーネス保持クリップの図、（ｂ）は変形例の図である。
【図６】比較例の図であるとともに、直径の小さなワイヤハーネスを保持する場合の組み付け説明図であり、（ａ）は組み付け前の図、（ｂ）は組み付け途中の図、（ｃ）は組み付け後の図である。
【図７】比較例の図であるとともに、直径の大きなワイヤハーネスを保持する場合の組み付け説明図であり、（ａ）は組み付け前の図、（ｂ）は組み付け途中の図、（ｃ）は組み付け後の図である。
【図８】従来例の電線保持クリップの図であり、（ａ）は斜視図、（ｂ）は電線を収容保持した状態の斜視図である。
【符号の説明】
【００４７】
２１  ワイヤハーネス保持クリップ
２２ａ  直径の大きなワイヤハーネス
２２ｂ  直径の小さなワイヤハーネス
２３  固定部
２４  本体部
２５  支柱
２６  係止羽根
２７  パネル押圧部
２８、２９  側壁
３０  底壁
３１  底壁延長部
３２  ハーネス収容空間
３３、３４  厚肉部分
３５、３６  薄肉部分
３７  第一接触保持片
３８  第二接触保持片
３９  ハーネス挿入部分
４０  第三接触保持片
４１  底壁摺接部分
４２  横ズレ防止部分
【図１】
2010004593.tif 000003
【図２】
2010004593.tif 000004
【図３】
2010004593.tif 000005
【図４】
2010004593.tif 000006
【図５】
2010004593.tif 000007
【図６】
2010004593.tif 000008
【図７】
2010004593.tif 000009
【図８】
2010004593.tif 000010